(57)【特許請求の範囲】
【請求項１】
第１のワイヤレス基地局が、
前記第１のワイヤレス基地局を利用することを許されていないワイヤレスデバイスから、ランダムアクセスプリアンブルを受信する工程と；
１つ以上の前記ランダムアクセスプリアンブルの少なくとも一部に基づいて、前記ランダムアクセスプリアンブルに応答して、優先度を決定する工程であって、前記優先度は、前記ワイヤレスデバイスに対する応答の遅延に影響を与える、工程と；
前記ワイヤレスデバイスが前記第１のワイヤレス基地局を利用することを許されていない場合であっても前記ワイヤレスデバイスに対するランダムアクセス手順を完了する工程と；
前記ワイヤレスデバイスから干渉ストレスメッセージを受信する工程であって、前記干渉ストレスメッセージは、前記ワイヤレスデバイスが前記第１のワイヤレス基地局から干渉を受けていることを示す、工程と；
前記ワイヤレスデバイスに対する干渉を減少させる工程と；
を有する方法。
【請求項２】
前記第１のワイヤレス基地局は、フェムトセル基地局である、請求項１記載の方法。
【請求項３】
前記ワイヤレスデバイスは、第２のワイヤレス基地局を利用することを許可されている、請求項１記載の方法。
【請求項４】
前記第２のワイヤレス基地局は１つ以上のマクロセル基地局である、請求項３記載の方法。
【請求項５】
前記干渉ストレスメッセージに基づき、前記ワイヤレスデバイスが、前記第２のワイヤレス基地局のうち少なくとも１つを利用するために、どの程度の干渉減少が必要かを推定する工程、
を更に有する、請求項３記載の方法。
【請求項６】
前記干渉ストレスメッセージを調整デバイスに転送する工程と；
前記調整デバイスからの干渉減少情報を受信する工程と；
前記干渉減少情報に基づき、前記ワイヤレスデバイスのために干渉を減少させる工程と；
を更に有する請求項３記載の方法。
【請求項７】
前記干渉減少情報は、前記ワイヤレスデバイスが前記第２のワイヤレス基地局の少なくとも一つを利用するために、どの程度の干渉減少が必要かを示す、
請求項６記載の方法。
【請求項８】
前記調整デバイスは、自己編成ネットワークサーバであり、かつ、
前記調整デバイスは、前記干渉ストレスメッセージに基づき、前記干渉減少情報を推定する、
請求項６記載の方法。
【請求項９】
前記干渉ストレスメッセージは、１つ以上のワイヤレスデータパケットとして、前記調整デバイスに転送される、
請求項６記載の方法。
【請求項１０】
前記干渉ストレスメッセージは、１つ以上の干渉測定値を有する、
請求項１記載の方法。
【請求項１１】
前記ランダムアクセスプリアンブルは、標準ランダムアクセスプリアンブルである、
請求項１記載の方法。
【請求項１２】
前記ランダムアクセスプリアンブルは、非標準ランダムアクセスプリアンブルであり、前記非標準ランダムアクセスプリアンブルは、干渉を管理するためのプリアンブルの集合を含む、
請求項１記載の方法。
【請求項１３】
前記非標準ランダムアクセスプリアンブルを送信する前記ワイヤレスデバイスに対して、より高い優先度を付与する工程、
を更に有する請求項１２記載の方法。
【請求項１４】
第１のワイヤレス基地局であって、
１つ以上のプロセッサによって実行可能な命令を含むメモリと；
前記メモリに接続され、かつ、前記命令を実行可能な前記１つ以上のプロセッサと、を有し、前記１つ以上のプロセッサは、
当該第１のワイヤレス基地局を利用することを許されていないワイヤレスデバイスから、ランダムアクセスプリアンブルを受信し；
１つ以上の前記ランダムアクセスプリアンブルの少なくとも一部に基づいて、前記ランダムアクセスプリアンブルに応答して、優先度を決定し、前記優先度は、前記ワイヤレスデバイスに対する応答の遅延に影響を与え；
前記ワイヤレスデバイスが前記第１のワイヤレス基地局を利用することを許されていない場合であっても前記ワイヤレスデバイスに対するランダムアクセス手順を完了し；
前記ワイヤレスデバイスから干渉ストレスメッセージを受信し、前記干渉ストレスメッセージは、前記ワイヤレスデバイスが前記第１のワイヤレス基地局から干渉を受けていることを示し；
前記ワイヤレスデバイスに対する干渉を減少させる；
命令を実行するときに動作可能である、第１のワイヤレス基地局。
【請求項１５】
第１のワイヤレス基地局を利用することを許されていないワイヤレスデバイスから、ランダムアクセスプリアンブルを受信し；
１つ以上の前記ランダムアクセスプリアンブルの少なくとも一部に基づいて、前記ランダムアクセスプリアンブルに応答して、優先度を決定し、前記優先度は、前記ワイヤレスデバイスに対する応答の遅延に影響を与え；
前記ワイヤレスデバイスが前記第１のワイヤレス基地局を利用することを許されていない場合であっても前記ワイヤレスデバイスに対するランダムアクセス手順を完了し；
前記ワイヤレスデバイスから干渉ストレスメッセージを受信し、前記干渉ストレスメッセージは、前記ワイヤレスデバイスが前記第１のワイヤレス基地局から干渉を受けていることを示し；
前記ワイヤレスデバイスに対する干渉を減少させる；
処理を前記第１のワイヤレス基地局のコンピュータに実行させるプログラム。
【請求項１６】
第１のワイヤレス基地局を利用することを許されていないワイヤレスデバイスから、ランダムアクセスプリアンブルを受信する手段と；
１つ以上の前記ランダムアクセスプリアンブルの少なくとも一部に基づいて、前記ランダムアクセスプリアンブルに応答して、優先度を決定する手段であって、前記優先度は、前記ワイヤレスデバイスに対する応答の遅延に影響を与える、手段と；
前記ワイヤレスデバイスが前記第１のワイヤレス基地局を利用することを許されていない場合であっても前記ワイヤレスデバイスに対するランダムアクセス手順を完了する手段と；
前記ワイヤレスデバイスから干渉ストレスメッセージを受信する手段であって、前記干渉ストレスメッセージは、前記ワイヤレスデバイスが前記第１のワイヤレス基地局から干渉を受けていることを示す、手段と；
前記ワイヤレスデバイスに対する干渉を減少させる手段と；
を有するシステム。
【発明の詳細な説明】
【技術分野】
【０００１】
本開示は、ワイヤレス通信に関する。より詳細には、ワイヤレスデバイスとワイヤレス基地局との間のセル相互の干渉の調整に関する。
【背景技術】
【０００２】
この出願は、米国特許法１１９条（ｅ）に基づく米国仮出願６１／３７３０２０号の利益を享受する。そして、全ての目的に関してこの仮出願は、引用によって本出願に組み込まれる。
【０００３】
ワイヤレス通信ネットワークにおいて、複数の基地局が存在する。各々の基地局は、固定された位置に設置され、ネットワーク上の個々のワイヤレスデバイスのために動作する。例えば、セルラーネットワークにおいて、個々の携帯電話にサービスを提供する複数の基地局が存在する。より詳細には、セルラーネットワークにおいて、無線サービスが提供される地上の領域は、典型的に通常の形のセルに分割される。それぞれのセルは、少なくとも一つの、セルサイト又は基地局として知られる固定位置のトランシーバによりサービスが提供される。これらのセルが統合されて、広い地理的領域において無線通信をカバーする。これによって、ネットワークのどこにおいても、多くのポータブルトランシーバ（例えば、携帯電話、ページャー等）は、基地局を介して、相互に、あるいは固定されたトランシーバと、あるいは、電話と通信できる。これは、あるトランシーバが送信途中で１つ以上のセルを移動している場合にも可能である。
【０００４】
セルラーネットワークは、セルと呼ばれる地域領域に分散された無線ネットワークである。その各々のセルは、セルサイト又は基地局と呼ばれる少なくとも１つの固定されたトランシーバによってサービスされる。これらのセルが統合され、広い地域の領域に対する無線通信をカバーする。これによって、基地局を介して、ネットワーク上のいずれの位置おいても、多くのトランシーバが、相互に、あるいは固定されたトランシーバと、あるいは電話と通信ができる。これは、送信途中で１つ以上のセルを移動するトランシーバであっても可能である。
【０００５】
セルラーネットワークには、幾つかのタイプが存在する。例えば、マクロセルは、比較的広い無線領域をカバーし、強力な基地局によってサービスされる。マクロセルのアンテナは、地上におかれたマスト、屋上、あるいは既存の建物に通常設置され、回りのビルや土地が容易に見渡せる高さに設置される。マクロセル基地局は、通常１０ワット以上の出力を有する。マイクロセルは、ローパワーのセルラー基地局であり、例えばホテルやトランスピレーションハブ（ｔｒａｎｓｐｉｒａｔｉｏｎ  ｈｕｂ）などの、限られた領域をカバーする。一般的に、マイクロセルは、マクロセルよりも狭い領域をカバーする。マイクロセルは、自身のカバー領域の半径を制限するために、パワー制御を用いる。ピコセルは、狭い領域をカバーする小さなセルである。たとえば、ビル内（オフィス、ショッピングモール、駅等）、あるいは、より最近では、飛行機内などで利用される。ピコセルは、マイクロセルより通常狭いが、その相違は明確ではない。ピコセルは、室外の信号が十分に届かない室内の領域を拡大するために用いられるか、電話の利用が密集している領域（例えば駅）のネットワーク容量を増加させるために用いられる。ピコセルは、従来のマクロセルでのアプローチでは困難である領域や高価になる領域に対するカバレッジ及び容量の増加を提供する。フェムトセルは、家庭やスモールビジネスおいて使われるために設計された別の小さなセルである。フェムトセルは、ブロードバンド（例えばＤＳＬ又はケーブル）を介したサービスプロバイダのネットワークと接続する。現在のフェムトセルのデザインは、家庭用の設定で２から４つのアクティブな携帯電話をサポートし、企業用の設定で８から１６のアクティブな携帯電話をサポートする。フェムトセルは、サービスが受けられない場合や、制限されたインドアにおけるサービスの拡大をサービスプロバイダに対して提供する。
【発明の概要】
【発明が解決しようとする課題】
【０００６】
ワイヤレス通信システムで、ワイヤレス基地局からのワイヤレスデバイスに対する干渉を調整することを目的とする。
【課題を解決するための手段】
【０００７】
方法の一観点によれば、第１のワイヤレス基地局が、前記第１のワイヤレス基地局を利用することを許されていないワイヤレスデバイスから、ランダムアクセスプリアンブルを受信する工程と；前記ワイヤレスデバイスに対するランダムアクセス手順を完了する工程と；前記ワイヤレスデバイスから干渉ストレスメッセージを受信する工程であって、前記干渉ストレスメッセージは、前記ワイヤレスデバイスが前記第１の基地局から干渉を受けていることを示す、工程と；前記ワイヤレスデバイスに対する干渉を減少させる工程と；  を有する方法が提供される。
【図面の簡単な説明】
【０００８】
【図１】セルラーネットワークの一部を例示した図である。
【図２】ワイヤレス基地局の使用を許可されていないワイヤレスデバイスに対するワイヤレス基地局による干渉を低減するメッセージフローの第１の実施形態を示す図である。
【図３】ワイヤレス基地局の使用を許可されていないワイヤレスデバイスに対するワイヤレス基地局による干渉を低減するメッセージフローの第２の実施形態を示す図である。
【図４】ワイヤレス基地局の使用を許可されていないワイヤレスデバイスに対するワイヤレス基地局による干渉を低減する方法を示す図である。
【図５】ネットワーク環境を例示する図である。
【図６】コンピュータシステムの例を示す図である。
【発明を実施するための形態】
【０００９】
セルラーネットワークにおいて、特定のセルに位置するポータブルワイヤレスデバイス（例えば、携帯電話、ページャー等）は、そのセルをサービスする基地局を介してネットワーク上で通信を行うことができる。これは、このセルをサービスする基地局を通じてデータパケットを送受信することにより行われる。このポータブルワイヤレスデバイスが、他のセルに移動した場合、第２のセルをサービスする基地局を介してネットワーク上で他のデバイスと通信することができる。この場合にも、これは、このセルをサービスする第２の基地局を通じてデータパケットを送受信することにより行われる。
【００１０】
特定の実施形態において、セルラーネットワークは、ネットワークに属する全てのワイヤレスデバイスにサービスを提供する複数のセルが存在する。そして、ネットワークに属するワイヤレスデバイスの特定の集合だけにサービスを提供する複数のセルが存在する。前者は、パブリックセルと呼ばれる。そして、後者はプライベートセルと呼ばれる。パブリックセルの例としては、非制限的に、マクロセル、マイクロセル、及びピコセルが含まれる。プライベートセルの例としては、非制限的に、ピコセル及びフェムトセルが含まれる。特定の実施形態において、セルラーネットワークに属するワイヤレスデバイスは、そのネットワーク内の他のデバイスと通信するために、あらゆるパブリックセルにサービスを提供する基地局を利用することができる。これに対して、プライベートセルに対しては、セルラーネットワークに属しており、且つ、このプライベートセルを利用することを許されたワイヤレスデバイスだけが、このプライベートセルにサービスを提供する基地局を利用することができ、ネットワーク上で他のデバイスと通信することができる。
【００１１】
図１は、パブリックセル１１２及びプライベートセル１２２を有する例示的なネットワークの一部を示している。特定の実施形態において、パブリックセル１１２はマクロセルであり、そしてプライベートセル１２２はフェムトセルである。特定の実施形態において、マクロセル１１２をサービスする１つ以上の基地局１１０が存在する（以下、「マクロセル基地局」と言う。）。同様に、フェムトセル１２２をサービスルする１つ以上の基地局１２０が存在する（以下、「フェムトセル基地局」と言う。）。
【００１２】
特定の実施形態において、マクロセル１１２は、比較的広いエリアをサービスし、フェムトセル１２２は、比較的狭いエリアをサービスしてもよい（例えば、家庭、オフィス等）。特定の実施形態において、ネットワーク上のあらゆるワイヤレスデバイスは、ネットワーク上の他のデバイスと通信するために、マクロセル基地局１１０を利用することができる。これに対して、フェムトセル１２２を利用することが許されたネットワーク上の特定のワイヤレスデバイスの集合だけが、ネットワーク上の他のデバイスと通信するために、フェムトセル基地局１２０を利用することができる。例えば、図１において、ワイヤレスデバイス１３０Ａ、１３０Ｂ、１３０Ｃは、全てネットワークに属していると仮定する。そして、マクロセル基地局１１０を利用することができ、しかし、ワイヤレスデバイス１３０Ｃだけが、フェムトセル基地局１２０を利用することを許されており、ワイヤレスデバイス１３０Ａ及び１３０Ｂは、フェムトセル１２０を利用することを許されていないと仮定する。特定の実施形態において、ワイヤレスデバイス１３０Ａ、１３０Ｂ、１３０Ｃは、それぞれ携帯電話であり、ユーザ機器とも呼ばれる。
【００１３】
特定の実施形態において、フェムトセル基地局（例えば、フェムトセル基地局１２０）は、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）標準を用いて、各ワイヤレスデバイス（例えば、ワイヤレスデバイス１３０Ｃ）と通信することができる。特定の実施形態において、フェムトセル基地局（例えば、フェムトセル基地局１２０）は、フェムトセル１２０が設置された場所において利用可なインターネット（例えば、イーサネット(登録商標)を経由して）と接続可能である（例えば、フェムトセル１２０が設置された家庭又はオフィスにおいて利用可能なインターネット接続）。１３０Ｃへの（あるいは１３０Ｃからの）データパケットは、インターネット接続を介して受信され、あるいは送信される。
【００１４】
特定の実施形態において、１つ以上の特定のワイヤレスデバイス（例えば、ワイヤレスデバイス１３０Ｃ）が存在する。これらは、ネットワーク上の他のデバイスと通信するためにフェムトセル基地局（例えばフェムトセル基地局１２０）を利用することができる。特定の実施形態において、許可されたワイヤレスデバイス（例えば、ワイヤレスデバイス１３０Ｃ）のリクエストに対してだけサービスを行い、応答する。そして、他の許可されていないデバイス（例えばワイヤレスデバイス１３０Ａ及び１３０Ｂ）からのリクエストを無視する。特定の実施形態において、フェムトセル基地局１２０は、許可されたデバイスを特定するリストを保持してもよい。これによって、どのワイヤレスデバイスがそれの利用を許可されあるいは利用が許可されていないかを特定する。特定の実施形態において、ワイヤレスデバイスは、そのワイヤレスデバイスが利用することが許可されたフェムトセルの識別子のリストを維持してもよい。これによって、このワイヤレスデバイスは、許可されたフェムトセル基地局だけを利用することができる。
【００１５】
特定の実施形態において、基地局は様々な時刻において様々なタイプの信号を送信するため、特定のワイヤレスデバイスに対して、特定のワイヤレス基地局が干渉を起こすことがある。例えば、図１において、ワイヤレスデバイス１３０Ａ及び１３０Ｂは、フェムトセル基地局１２０を利用することを許されていない。そして、マクロセル基地局１１０だけを利用できる。しかし、フェムトセル基地局１２０は、ワイヤレスデバイス１３０Ａ及び１３０Ｂに対して干渉を起こすことがある。特に、ワイヤレスデバイス１３０Ａ及び１３０Ｂが、フェムトセル基地局１２０に近い場合である。ワイヤレスデバイス１３０Ｃは、フェムトセル基地局１２０及びマクロセル基地局１１０の両方を利用することが許されている。ワイヤレスデバイス１３０Ｃがフェムトセル基地局１２０に近い場合、ワイヤレスデバイス１３０Ｃは、他のデバイスとフェムトセル基地局１２０を介して通信することが好ましいことがある。なぜなら、フェムトセル基地局１２０は、この環境において、より強く、よりクリアーな信号を提供するからであり、しかも、マクロセル基地局１１０は、ワイヤレスデバイス１３０Ｃに干渉を発生させることがあるからである。往々にして、一つのワイヤレス基地局の干渉は、非常に強く、かつ、害を及ぼす。このため、あるワイヤレスデバイスは、他のワイヤレス基地局と通信することが全くできないことがある。例えば、図１において、ワイヤレスデバイス１３０Ｂは、フェムトセル基地局１２０に十分近い。このため、最悪のシナリオの場合、フェムトセル基地局１２０からの干渉は、ワイヤレスデバイス１３０Ｂのマクロセル基地局１１０との通信を完全に不可能にしてしまうことがある。
【００１６】
特にワイヤレス基地局を利用することを許されていないワイヤレスデバイスに対する干渉を発生するワイヤレス基地局（例えば、フェムトセル基地局１２０）のこの問題に対する幾つかのアプローチが存在する。特定の実施形態においては、タイムドメインでのアプローチが提供される。この場合、第１のワイヤレス基地局（例えば、フェムトセル基地局１２０）は、あるサブフレームにおいて、送信を行わないようにして、ワイヤレスデバイスに対する干渉を減少させることができる。このワイヤレスデバイスは、第１のワイヤレス基地局が送信しないこれらのサブフレームを用いることができ、第２のワイヤレス基地局（例えば、マクロセル基地局１１０）と通信することができる。あるいは、特定の実施形態において、周波数ドメインアプローチが提供される。この場合、第１のワイヤレス基地局（例えば、フェムトセル基地局１２０）は、周波数の一部のリソースの利用を制限し、ある周波数を送信しないことにより、ワイヤレスデバイスに対してのその干渉を減少させることができる。ワイヤレスデバイスは、第１のワイヤレス基地局が送信しないこれらの周波数を利用でき、第２の基地局（例えば、マクロセル基地局１１０）と通信することができる。あるいは、特定の実施形態においては、パワーコントロールベースのアプローチを提供する。この場合、第１の基地局（例えば、フェムトセル基地局１２０）は、必要な時に、送信パワーを減少させることにより、ワイヤレスデバイスに対する干渉を減少させることができる。しかしながら、これらの全てのアプローチは、ワイヤレスデバイスが第２の基地局（例えば、マクロセル基地局１１０）との接続を維持することを要求する。すなわち、このワイヤレスデバイスは、第１の基地局からの干渉を受けていることをこの第２の基地局に対して示すために、第２の基地局と通信することが必要である。第２の基地局が第１の基地局に対して、第１の基地局がこのワイヤレスデバイスに対する干渉を減少させるよう、要求できる場合に、これが可能となる。そして、ある場合においては、ワイヤレスデバイスに対する第１の基地局（例えば、フェムトセル基地局１２０）の干渉があまりに大きいため（例えば、このワイヤレスデバイスが第１の基地局に非常に近いとき、あるいは、第１の基地局からの干渉が突然増加したとき、あるいは、第２の基地局からの信号強度が突然減少した時に）、そのワイヤレスデバイスは、第２の基地局に接続することができないことがある。結果として、このような場合には、このワイヤレスデバイスは、第２の基地局に対して、第１の基地局からの干渉を受けていることを伝えることが全くできないこととなる。
【００１７】
特定の実施形態においては、ワイヤレスデバイス（ワイヤレスデバイス１３０Ａ又は１３０Ｂ）は、特に、このワイヤレス基地局を利用することを許されていないワイヤレスデバイスに対する干渉を引き起こすワイヤレス基地局（例えば、フェムトセル基地局１２０）に対する問題に対処する。このために、ワイヤレス基地局を通じての、ワイヤレスデバイスに対する、改善された（ｅｖｏｌｖｅｄ）セル相互（Ｉｎｔｅｒ−Ｃｅｌｌ）干渉の調整（ｅＩＣＩＣ：ｅｖｏｌｖｅｄ  Ｉｎｔｅｒ−Ｃｅｌｌ  Ｉｎｔｅｒｆｅｒｅｎｃｅ  Ｃｏｏｒｄｉｎａｔｉｏｎ）メカニズムを、ワイヤレスデバイスが開始できるようにする。特定の実施形態において、このワイヤレスデバイスは、必要なときに（例えば、ワイヤレスデバイスが、ワイヤレス基地局からの干渉を受けている場合に）、ｅＩＣＩＣを開始できる。
【実施例】
【００１８】
図２は、ワイヤレス基地局を利用することを許されていないワイヤレスデバイスに対するワイヤレス基地局による干渉を減少させるための、第１の例示的なメッセージフローを示している。図３は、ワイヤレス基地局を利用することを許されていないワイヤレスデバイスに対するワイヤレス基地局による干渉を減少させるための、第２の例示的なメッセージフローを示している。図４は、ワイヤレス基地局を利用することを許されていないワイヤレスデバイスに対するワイヤレス基地局による干渉を減少させるための方法を示している。図４に示すステップは、図２及び図３に示されるメッセージフローに関連して記述されている。
【００１９】
特定の実施形態において、二つのワイヤレス基地局（第１のワイヤレス基地局及び第２のワイヤレス基地局）及び関連するワイヤレスデバイスが存在する。例えば、第１のワイヤレス基地局は、フェムトセル基地局であり、第２のワイヤレス基地局は、マクロセル基地局であり、そしてワイヤレスデバイスは、携帯電話である。図２及び図３において、フェムトセル基地局２２０は、第１の基地局の例である。マクロセル基地局２１０は、第２の基地局の例である。そして、ワイヤレスデバイス２３０は、ワイヤレスデバイスの例である。特定の実施形態において、ワイヤレスデバイスは、第２のワイヤレス基地局を利用すること（例えば、接続すること及び通信すること）を許されているが、第１の基地局を利用することを許されていない。例えば、図２及び図３において、ワイヤレスデバイス２３０は、マクロセル基地局２１０を利用することを許可されているが、フェムトセル基地局２２０を利用することは許可されていない。特定の実施形態において、ワイヤレスデバイスは、ワイヤレ基地局の干渉を受けている。例えば、図２及び図３において、ワイヤレスデバイス２３０は、フェムトセル基地局２２０の干渉を受けている。ワイヤレスデバイス２３０は、ｅＩＣＩＣを開始したいと欲していると仮定する。これによって、ワイヤレスデバイス２３０が、マクロセル基地局２１０と接続しこれを利用するために、フェムトセル基地局２２０の干渉を減少させたいと欲していると仮定する。
【００２０】
特定の実施形態において、ワイヤレスデバイス２３０は、ステップ４０２に記載されているように、ランダムアクセスプリアンブルをフェムトセル基地局２２０に送信することにより、フェムトセル基地局２２０に対してランダムアクセス手順を開始する。特定の実施形態において、ランダムアクセスプリアンブルは、標準的なランダムアクセス手順プリアンブルであってもよい。あるいは、特定の実施形態において、このランダムアクセス手順プリアンブルは、特別な、非標準的なランダムアクセスプリアンブルであってもよい。例えば、プリアンブルの集合は、干渉を管理するためにリザーブされてもよい。これらの特別なプリアンブルは、非標準ランダムアクセス手順プリアンブルと呼ばれ、通常のネットワークアクセスに用いられる標準的ランダムアクセス手順プリアンブルと区別される。非標準的な場合、非標準ランダムアクセス手順プリアンブルは、必ずしも必要ではないが、干渉ストレスに特に関連する、ある情報を含んでもよい。特定の実施形態において、ワイヤレスデバイス２３０が、非標準ランダムアクセス手順プリアンブルを送った場合、フェムトセル基地局２２０は、ワイヤレスデバイス２３０に対し、異なるポリシ（例えば、高い優先度）をアサインしてもよい。例えば、フェムトセル基地局２２０は、ワイヤレスデバイス２３０が長い間、干渉のストレスを受けないようにするために、ワイヤレスデバイス２３０が送った非標準ランダムアクセス手順プリアンブルに、できるだけ早く応答してもよい。これに対して、もしワイヤレスデバイス２３０が、標準ランダムアクセス手順プリアンブルを送った場合、フェムトセル基地局２２０は、通常応答するのと同様に、標準ランダムアクセス手順プリアンブルに応答してもよい。ただし、ワイヤレスデバイス２３０に高い優先度を与えなくてもよい。これによって、ワイヤレスデバイス２３０に対しての干渉が減少するまでにある程度の遅延が存在するようにする。
【００２１】
特定の実施形態において、ワイヤレスデバイス２３０が、フェムトセル基地局２２０に接続することを許されていない場合でも、フェムトセル基地局２２０は、ステップ４０４に記載されているように、それにもかかわらず、ワイヤレスデバイス２３０に対するランダムアクセス手順を完了する。フェムトセル基地局２２０は、この場合ワイヤレスデバイス２３０を無視しない。特定の実施形態において、ランダムアクセス手順は、フェムトセル基地局２２０とワイヤレスデバイス２３０との間での、幾つかのハンドシェーク、及び認証ステップを含む。例えば、このランダムアクセス手順は、フェムトセル基地局２２０とワイヤレスデバイス２３０との間で、４つの通信ステップを含む。
【００２２】
特定の実施形態において、ランダムアクセス手順が完了した後、ワイヤレスデバイス２３０は、ステップ４０６に記載されているように、フェムトセル基地局２２０に干渉ストレスメッセージを送信する。干渉ストレスメッセージは、フェムトセル基地局２２０に対して、ワイヤレスデバイス２３０がフェムトセル基地局２２０からの干渉を受けていることを示す。特定の実施形態において、干渉ストレスメッセージは、フェムトセル基地局２２０の識別子、１つ以上の干渉の測定値、及び適用できるその他の情報を含んでもよい。
【００２３】
ワイヤレスデバイス２３０からのストレスメッセージを受信すると、フェムトセル基地局２２０は、幾つかの方法で応答する。特定の実施形態において、フェムトセル基地局２２０は、ステップ４０８に示すように、干渉ストレスメッセージをネットワーク上で調整デバイスに転送する。図２は、この応答を示している。特定の実施形態において、この調整デバイスは、干渉の調整のための、セルラーネットワークにおける自己編成（ｓｅｌｆ−ｏｒｇａｎｉｚｉｎｇ）ネットワークサーバであってもよい。この調整デバイスは、ネットワークの多くの部分の情報（例えば、ネットワークの総合的なビュー、及びネットワーク上の多くの基地局の情報）を持っている。このため、調整デバイスは、各々の基地局の干渉をどのように適切に減少させるかを決定することができる。図２において、サーバ２５０は、この調整デバイスの例である。フェムトセル基地局２２０は、コアネットワーク２４０上で干渉ストレスメッセージをサーバ２５０に送信する。フェムトセル基地局２２０から、この干渉ストレスメッセージを受信すると、サーバ２５０は、この干渉ストレスメッセージによって提供された情報（例えば、干渉測定値）及びネットワーク自身に関してサーバ２５０が持っている情報に基づき、ワイヤレスデバイス２３０に対して適切に干渉を減少させるために、フェムトセル基地局２２０が何をするかを決定する。フェムトセル基地局２２０に対してサーバ２５０が決定したこの干渉の減少情報には、どの干渉減少アプローチ（例えば、タイムドメインアプローチ、周波数ドメインアプローチ、あるいはパワーコントロールベースのアプローチ）が用いられるか、及び、フェムトセル基地局２２０が取り得る特定のアクションが示されてもよい。特定の実施例において、ステップ４１０に記載されているように、サーバ２５０は、コアネットワーク２４０上で、干渉減少情報をフェムトセル基地局２２０に送信する。特定の実施形態において、干渉減少情報は、１つ以上のｅＩＣＩＣメッセージとして、フェムトセル基地局２２０に送信されてもよい。加えて、特定の実施形態において、フェムトセル基地局２２０は、１つ以上のｅＩＣＩＣメッセージを用いて、コアネットワーク２４０上で、マクロセル基地局２１０と調整してもよい。
【００２４】
あるいは、特定の実施形態において、ネットワーク上利用可能な、調整デバイス（例えば、サーバ２５０）が存在しなくてもよい。この場合には、ステップ４１２に示すように、フェムトセル基地局２２０は、自分自身のために、干渉ストレスメッセージ（例えば、干渉測定値）で提供された情報に基づいてワイヤレスデバイス２３０のために、自身の干渉を減少させるために何が最適かを推定してもよい。図３は、このレスポンスの例を示している。例えば、フェムトセル基地局２２０は、自身のために利用できる干渉減少アプローチ（例えば、タイムドメインアプローチ、周波数ドメインアプローチ、又はパワーコントロールベースのアプローチ）及び、取り得る特定のアクションを決定する更に、特定の実施形態において、フェムトセル基地局２２０は、１つ以上のｅＩＣＩＣメッセージを用いて、コアネットワーク２４０上で、マクロセル基地局２１０と調整する。
【００２５】
特定の実施形態において、フェムトセル基地局２２０は、ワイヤレスデバイス２３０に対して、ワイヤレスデバイス２３０のために干渉を減少させようとしていることを知らせてもよい。特定の実施形態において、ステップ４１４に示すように、フェムトセル基地局２２０は、（図２に示すように）サーバ２５０から受信した干渉減少情報、又は（図３に示すように）フェムトセル基地局２２０自身が推定した干渉減少情報に基づいて、ワイヤレスデバイス２３０に対する自身の干渉を減少させてもよい。例えば、干渉減少情報は、フェムトセル基地局２２０に対して、タイムドメインアプローチを使用し、かつ、どの特定のサブフレームを転送し、かつ、との特定のサブフレームを転送しないかを指示してもよい。あるいは、干渉減少情報は、フェムトセル基地局２２０に対して、周波数ドメインアプローチを使用し、どの特定の周波数で送信し、かつ、どの特定の周波数で送信しないかを指示してもよい。あるいは、干渉減少情報は、フェムトセル基地局２２０に対して、パワーコントロールベースのアプローチを使用し、減少させるパワーの量を指示してもよい。フェムトセル基地局２２０が、ワイヤレスデバイス２３０に対する干渉を十分に減少させると、ワイヤレスデバイス２３０は、マクロセル基地局２２０に接続し、通信を行うことができる。
【００２６】
特定の実施形態は、ネットワーク環境においてインプリメントされる。図５は、ネットワーク環境５００の例を示している。ネットワーク環境５００は、１つ以上のサーバ５２０及びこれに対する１つ以上のクライアント５３０を含むネットワーク５１０を含む。特定の実施形態において、ネットワーク５１０は、インターネット、バーチャルプライベートネットワーク（ＶＰＮ）、ローカルエリアネットワーク（ＬＡＮ）、ワイヤレスＬＡＮ（ＷＬＡＮ）、ワイドエリアネットワーク（ＷＡＮ）、メトロポリタンネットワーク（ＭＡＮ）、インターネットの一部、あるいはその他のネットワーク５１０又は、これらの複数のネットワークの組合せである。この開示は、適切なネットワーク５１０を対象とする。
【００２７】
１つ以上のリンク５５０は、サーバ５２０又はクライアント５３０とネットワーク５１０とを接続する。特定の実施形態において、１つ以上のリンク５５０の各々は、１つ以上の有線、無線、又は光リンク５５０を有する。特定の実施形態において、１つ以上のリンク５５０の各々は、インターネット、エクストラネット、ＶＰＮ、ＬＡＮ、ＷＬＡＮ、ＷＡＮ、ＭＡＮ、インターネットの一部、又はその他のリンク５５０又はこのような複数のリンク５５０の組み合せを含む。この開示は、サーバ５５０及びクライアント５３０とネットワーク５１０とを結ぶいかなる適切なリンク５５０をも対象とする。
【００２８】
特定の実施形態において、個々のサーバ５２０は、単一のサーバ又は複数のコンピュータ又は複数のデータセンタを含む分散サーバであってもよい。サーバ５２０は、様々なタイプであってもよい。例えば、非制限的に、ウェブサーバ、ニュースサーバ、メールサーバ、メッセージサーバ、宣伝サーバ、ファイルサーバ、アプリケーションサーバ、エクスチェンジサーバ、データベースサーバ、又はプロクシーサーバが挙げられる。特定の実施形態において、各々のサーバ２５０は、ハードウエア、ソフトウエア、又は組み込み型のロジックコンポーネント、又は複数のこれらのコンポーネントの組合せを含んでもよく、サーバによって、適切な機能がインプリメントされ、サポートされる。例えば、ウェブサーバは、一般的にウェブサイトをホスティングする能力があり、ウェブページ又はウェブページの特定の要素を含む。より詳細には、ウェブサーバは、ＨＴＭＬファイル又はその他のファイルタイプをホスティングし、あるいは動的にリクエストに応じてファイルを生成又は構成する。そして、クライアント５３０からのＨＴＴＰあるいは他のリクエストに応答して、クライアント５３０にこれらを通信してもよい。メールサーバは、一般的に、様々なクライアント５３０に対して電子メールサービスを提供する。データベースサーバは、一般的に、１つ以上のデータストアに保存されたデータを管理するためのインターフェースを提供する能力がある。１つ以上のサーバ２５０は、調整サーバ（ｃｏｏｒｄｉｎａｔｉｏｎ  ｓｅｒｖｅｒ）であってもよい。
【００２９】
特定の実施形態において、１つ以上のデータストレージ５４０は、１つ以上のリンク５５０を介して、１つ以上のサーバ５２０に通信接続されている。特定の実施形態において、データストレージ５４０は、様々なタイプの情報を保存してもよい。特定の実施形態において、データストレージ５４０に保存された情報は、特定のデータ構造に基づいて構築されていてもよい。特定の実施形態において、各々のデータストレージ５４０は、リレーショナルデータベースであってもよい。特定の実施形態は、データストレージ５４０に記憶された情報を、検索、変更、追加、削除をサーバ５２０又はクライアント５３０が管理できるよう、インターフェースを提供してもよい。
【００３０】
特定の実施形態において、各々のクライアント５３０は、ハードウエア、ソフトウエア、又は組み込み型のロジックコンポーネント、又は、複数のこれらの組合せを含んでもよく、クライアント５３０によってインプリメント又はサポートされた適切な機能を遂行できるようにしてもよい。例えば、非制限的に、クライアント５３０は、デスクトップコンピュータシステム、ノートブックコンピュータシステム、ネットブックコンピュータシステム、ハンドヘルド電子デバイス、又は携帯電話であってもよい。この開示は、適切ないかなるクライアント５３０をも対象とする。クライアント５３０は、ネットワークユーザがクライアント５３０によって、ネットワーク５１０にアクセスすることを可能としてもよい。クライアント５３０は、そのユーザに対して、クライアント５３０によって他のユーザと通信することを可能としてもよい。
【００３１】
クライアント５３０は、ウェブブラウザ５３２を有してもよい。例えば、マイクロソフトインターネットエクスプローラ、ＧＯＯＧＬＥ  ＣＨＲＯＭＥ又はＭＯＺＩＬＬＡ  ＦＩＲＥＦＯＸが挙げられ、これらは、１つ以上のアドオン、プラグイン、あるいは他の拡張、例えばツールバー又はヤフーツールバーを含んでもよい。クライアント５３０のユーザは、ウェブブラウザ５３２がサーバに指示するＵＲＬ又は他のアドレスを入力してもよい。そして、ウェブブラウザ５３２は、ハイパーテキストトランスファープロトコル（ＨＴＴＰ）リクエストを生成し、サーバ５２０にこのＨＴＴＰリクエストを送信する。サーバ５２０は、ＨＴＴＰリクエストを受け入れ、そして、クライアント５３０に、ＨＴＭＬリクエストに応答する１つ以上のＨＴＭＬファイルを送信する。クライアント５３０は、サーバ５２０からのＨＴＭＬファイルを基にしてウェブブページを表示し、ユーザに示す。この開示は、適切ないかなるウェブページファイルをも対象とする。例示として、かつ非制限的に、ウェブページは、要求に応じてＨＴＭＬファイル、ＸＨＴＭＬ（Ｅｘｔｅｎｓｉｂｌｅ  Ｈｙｐｅｒ  Ｔｅｘｔ  Ｍａｒｋｕｐ  Ｌａｎｇｕａｇｅ）ファイル、又は、ＸＭＬ（Ｅｘｔｅｎｓｉｂｌｅ  Ｍａｒｋｕｐ  Ｌａｎｇｕａｇｅ）ファイルから表示される。このようなページは、スクリプトを実行してもよい。例えば、非制限的に、ＪＡＶＡ(登録商標)ＳＣＲＩＰＴ、ＪＡＶＡ、ＭＩＣＲＯＳＯＦＴ  ＳＩＬＶＥＲＬＩＧＨＴ、マークアップ言語とスクリプトの複合、例えばＡＪＡＸ（Ａｓｙｎｃｈｒｏｎｏｕｓ  ＪＡＶＡＳＣＲＩＰＴ  ａｎｄ  ＸＭＬ）等が挙げられる。本明細書において、ウェブページの語は、１つ以上の対応するウェブページファイルを意味する（ブラウザは、ウェブページを表示するためにこれらのファイルを使用する）。また、この逆も同様である。
【００３２】
特定の実施形態において、ネットワーク５１０に、１つ以上のベースステーション５６０が存在してもよい。各々の基地局５６０は、ネットワーク５００のセルをサービスする。そして各々のセルは１つ以上のベースステーション５６０によりサービスされる。各々のベースステーション５６０は、ワイヤレスデバイス（例えば、クライアント２３０）との間で、通信パケットを送受信する。
【００３３】
特定の実施形態は、１つ以上のコンピュータムシステムによってインプリメントされてもよい。図６は、コンピュータシステム６００の例を示している。特定の実施形態において、１つ以上のコンピュータシステム６００は、本明細書に記載されている１つ以上の方法の１つ以上のステップを実行する。特定の実施形態において、１つ以上のコンピュータシステム６００は、本明細書に記載されている機能を提供する。特定の実施形態において、１つ以上のコンピュータシステム６００上で動作するソフトウエアは、本明細書に記載されている１つ以上の方法の１つ以上のステップを実行し、あるいは、本明細書に記載されている機能を提供する。特定の実施形態は、１つ以上のコンピュータシステム６００の１つ以上の部分を含んでいる。
【００３４】
本開示は、適切なあらゆる数のコンピュータシステム６００を対象とする。本開示は、適切ないかなる物理的形態を有するコンピュータシステム６００をも対象とする。例示として、かつ非制限的に、コンピュータシステム６００は、組み込み型コンピュータシステム、システムオンチップ（ＳＯＣ）、シングルボードコンピュータシステム（ＳＢＣ）（例えば、コンピュータオンモジュール（ＣＯＭ）又はシステムオンモジュール（ＳＯＭ））、デスクトップコンピュータシステム、ラップトップコンピュータシステム、インターラクティブキオスク、メインフレーム、コンピュータシステムのメッシュ、携帯電話、ＰＤＡ、サーバ、又は複数のこれらの組合せであってもよい。適切な場合には、コンピュータシステム６００は、１つ以上のコンピュータシステム６００を含んでもよく、単一または分散されていてもよく、複数のロケーションに分散されていてもよく、又は、クライウドに存在してもよい。このクラウドの場合には、１つ以上のネットワークに１つ以上のクライウドが含まれてもよい。適切な場合には、１つ以上のコンピュータシステム６００は、実質的に、空間的又は時間的制約を受けずに、本明細書に記載された１つ以上の方法の１つ以上のステップを実行する。例示として、かつ非制限的に、１つ以上のコンピュータシステム６００は、リアルタイムあるいは、バッチモードで、本明細書に記載された１つ以上の方法の１つ以上のステップを実行する。適切な場合には、１つ以上のコンピュータシステム６００は、異なる時間又は異なる場所で、本明細書に記載された１つ以上の方法の１つ以上のステップを実行する。
【００３５】
特定の実施形態において、コンピュータシステム６００は、プロセッサ６０２、ストレージ６０６、入出力（Ｉ／Ｏ）インターフェース６０８、通信インターフェース６１０、及びバス６１２を有する。本開示は、特定の設計による特定の数の特定のコンポーネントを有する特定のコンピュータシステムを提示しているが、本開示は、いかなる特定の設計による、いかなる特定の数の特定のコンポーネントを有する、適切ないかなるコンピュータシステムをも対象とする。
【００３６】
特定の実施形態において、プロセッサ６０２は、例えば、コンピュータプログラムを構成する命令を実行するハードウエアを含む。例示として、かつ、非制限的に、命令を実行するために、プロセッサ６０２は、内部レジスタ、内部キャッシュ、メモリ６０４、又はストレージ６０６から命令を読み出し又はフェッチし、これらをデコードし実行し、そして、内部レジスタ、内部キャッシュ、メモリ６０４、又はストレージ６０６に、１つ以上の結果を書き込む。特定の実施形態において、プロセッサ６０２は、データ用、命令用、又はアドレス用の１つ以上のキャッシュを含む。本開示は、適切な場合には、適切な数の適切な内部キャッシュを含むプロセッサ６０２を対象とする。例示として、かつ、非制限的に、プロセッサ６０２は、１つ以上の命令キャッシュ、１つ以上のデータキャッシュ、及び１つ以上のＴＬＢ（ｔｒａｎｓｌａｔｉｏｎ  ｌｏｏｋａｓｉｄｅ  ｂｕｆｆｅｒｓ）を含んでもよい。命令キャッシュにある命令は、メモリ６０４又はストレージ６０６の命令のコピーであってもよい。そして、命令キャッシュは、プロセッサ６０２による命令の読込を高速化する。データキャッシュのデータは、メモリ６０４又はストレージ６０６内のデータのコピーであってもよい。このデータは、プロセッサ６０２が命令を実行するためのものである。あるいは、データキャッシュのデータは、プロセッサ６０２が実行した前の命令の結果であり、プロセッサ６０２が実行する次の命令のアクセスのためのものであり、あるいは、メモリ６０４又はストレージ６０６に書き込むためのものであり、又は、その他の適切なデータである。このデータキャッシュは、プロセッサ６０２の読み書きのオペレーションの高速化を行う。ＴＬＢは、プロセッサ６０２のための仮想アドレス変換を高速化する。特定の実施形態において、プロセッサ６０２は、データ、命令、又はアドレスのための、１つ以上の内部レジスタを有する。本開示は、適切な場合には、適切ないかなる数の適切な内部レジスタを含むプロセッサ６０２をも対象とする。適切な場合には、プロセッサ６０２は、１つ以上の論理演算ユニット（ＡＬＵ）を含む。そして、プロセッサ６０２は、１つ以上のプロセッサ６０２を含むマルチコアプロセッサであってもよい。本開示は、特定のプロセッサについて記載しているが、本開示は、適切なあらゆるプロセッサを対象とする。
【００３７】
特定の実施形態において、メモリ６０４は、プロセッサ６０２が実行する命令、又はプロセッサ６０２が命令を実行するためのデータを格納するためのメインメモリを含む。例示として、かつ、非制限的に、コンピュータシステム６００は、ストレージ６０６又は他のソース（例えば、他のコンピュータシステム）から命令をメモリ６０４にロードする。プロセッサ６０２は、メモリ６０４から内部レジスタ又は内部キャッシュに命令をロードする。命令を実行するために、プロセッサ６０２は、内部レジスタ又は内部キャッシュから命令を読み出す。命令の実行中又はその後に、プロセッサ６０２は、１つ以上の結果（これは中間又は最終結果である）を内部レジスタ又は内部キャッシュに書き込む。プロセッサ６０２は、１つ以上のこれらの結果をメモリ６０４に書き込む。特定の実施形態において、プロセッサ６０２は、１つ以上の内部レジスタ、内部キャッシュ、又はメモリ６０４（ストレージ６０６又はその他の場所からではなく）の命令のみを実行する。そして、１つ以上の内部レジスタ、内部キャッシュ、又はメモリ６０４のデータ（ストレージ６０６又はその他の場所からではなく）に対して処理を行う。１つ以上のメモリバス（アドレスバス、及びデータバスを含む）は、プロセッサ６０２とメモリ６０４とを接続する。バス６１２は、以下に示すように１つ以上のメモリバスを有してもよい。特定の実施形態において、１つ以上のメモリ管理ユニット（ＭＭＵ）は、プロセッサ６０２とメモリ６０４との間に存在し、プロセッサ６０２からリクエストされたメモリ６０４へのアクセスを容易化する。特定の実施形態において、メモリ６０４は、ランダムアクセスメモリ（ＲＡＭ）を含む。このＲＡＭは、適切な場合には、揮発性メモリであってもよい。適切な場合には、このＲＡＭは、ダイナミックＲＡＭ（ＤＲＡＭ）又はスタティックＲＡＭ（ＳＲＡＭ）であってもよい。加えて、適切な場合には、このＲＡＭは、シングルポート又はマルチポートＲＡＭであってもよい。この開示は、適切ないかなるＲＡＭも対象とする。メモリ６０４は、適切な場合には、１つ以上のメモリ６０４を含んでもよい。本開示は、特定のメモリを記載しているが、この開示は、適切ないかなるメモリをも対象とする。
【００３８】
特定の実施形態において、ストレージ６０６は、データ用又は命令用のマスストレージを含む。例示として、かつ、非制限的に、ストレージ６０６は、ＨＤＤ、フロッピー(登録商標)ディスク、フラッシュメモリ、オプティカルディスク、磁気光ディスク、磁気テープ、ＵＳＢドライブ、又は、複数のこれらの組合せを含んでもよい。ストレージ６０６は、適切な場合には、リムーバブル、又は、固定（ノンリムーバブル）メディアを含んでもよい。ストレージ６０６は、適切な場合には、コンピュータシステム６００の内部又は外部にあってもよい。特定の実施形態において、ストレージ６０６は、不揮発性、ソリッドステートメモリである。特定の実施形態において、ストレージ６０６は、リードオンリメモリ（ＲＯＭ）を含む。適切な場合には、このＲＯＭは、マスクプログラムドＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的書き換え可能メモリ（ＥＡＲＯＭ：ｅｌｅｃｔｒｉｃａｌｌｙ  ａｌｔｅｒａｂｌｅ  ＲＯＭ）、又はフラッシュメモリ、又は複数のこれらの組合せであってもよい。本開示は、適切な物理的形態をとるマスストレージ６０６を対象とする。ストレージ６０６は、適切な場合には、プロセッサ６０２とストレージ６０６との通信を容易化するための１つ以上のストレージコントロールユニットを含んでもよい。適切な場合には、ストレージ６０６は、１つ以上のストレージ６０６を含んでもよい。なお、本開示は、特定のストレージを記載しているが、この開示は適切ないかなるストレージをも対象とする。
【００３９】
特定の実施形態において、Ｉ／Ｏインターフェース６０８は、ハードウエア、ソフトウエア、あるいはその両方を含み、コンピュータシステム６００と１つ以上のＩ／Ｏデバイスとの間の通信のための１つ以上のインターフェースを提供する。コンピュータシステム６００は、適切な場合には、１つ以上のこれらのＩ／Ｏデバイスを含む。１つ以上のこれらのＩ／Ｏデバイスは、人間とコンピュータシステム６００との間のコミュニケーションを可能とさせる。例示として、かつ、非制限的に、Ｉ／Ｏデバイスは、キーボード、キーパッド、マイクロフォン、モニタ、マウス、プリンタ、スキャナ、スピーカ、スチルカメラ、スタイラス、タブレット、タッチスクリーン、トラックボール、ビデオカメラ、その他の適切なＩ／Ｏデバイス、又は、複数のこれらの組合せであってもよい。Ｉ／Ｏデバイスは、１つ以上のセンサを含んでもよい。この開示は、これらのために適切ないかなるＩ／Ｏデバイス及びＩ／Ｏインターフェースをも対象とする。適切な場合には、Ｉ／Ｏインターフェース６０８は、プロセッサ６０２が１つ以上のＩ／Ｏデバイスをドライブすることを可能とする１つ以上のデバイス又はソフトウエアデバイスを含んでもよい。Ｉ／Ｏインターフェース６０８は、適切な場合には、１つ以上のＩ／Ｏインターフェース６０８を含んでもよい。本開示は、特定のＩ／Ｏインターフェースを記載しているが、本開示は、適切ないかなるＩ／Ｏインターフェースをも対象とする。
【００４０】
特定の実施形態において、通信インターフェース６１０は、ハードウエア、ソフトウエア、又はその両者を含み、コンピュータシステム６００と１つ以上のコンピュータシステム６００と、又は１つ以上のネットワークとの間の通信のための１つ以上のインターフェースを提供する（例えば、パケットベースの通信）。例示として、かつ、非制限的に、通信インターフェース６１０は、イーサネット(登録商標)、又は、他のワイヤーベースのネットワークと通信するためのネットワークインターフェースコントローラ（ＮＩＣ）又はネットワークアダプタ、又は、ワイヤレスＮＩＣ（ＷＮＩＣ）、又は例えばＷＩＦＩネットワークなどのワイヤレスネットワークとの通信のためのワイヤレスアダプタを含んでもよい。本開示は、適切ないかなるネットワーク及びこれに対する適切ないかなる通信インターフェース６１０をも対象としている。例示として、かつ、非制限的に、コンピュータシステム６００は、アドホックネットワーク、パーソナルエリアネットワーク（ＰＡＮ）、ローカルエリアネットワーク（ＬＡＮ）、ワイドエリアネットワーク（ＷＡＮ）、メトロポリタンネットワーク（ＭＡＮ）、又は、インターネットの１つ以上の部分、又はこれら複数の組合せと通信してもよい。１つ以上のこれらのネットワークの１つ以上の部分は、有線又は無線であってもよい。例示として、コンピュータシステム６００は、ワイヤレスＰＡＮ（ＷＰＡＮ）（例えば、ブルートゥースＷＰＡＮ）、ＷＩ−ＦＩネットワーク、ＷＩ−ＭＡＸネットワーク、携帯電話ネットワーク（例えばＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、又は、他の適切なワイヤレスネットワーク、又は複数のこれらの組み合わせと通信してもよい。コンピュータシステム６００は、適切な場合には、これらのネットワークに対する適切ないかなる通信インターフェース６１０を含んでもよい。通信インターフェース６１０は、適切な場合には、１つ以上の通信インターフェース６１０を含んでもよい。本開示は、特定の通信インターフェースを記載しているが、本開示は、適切ないかなる通信インターフェースをも対象とする。
【００４１】
特定の実施形態において、バス６１２は、コンピュータシステム６００のコンポーネント相互を接続する、ハードウエア、ソフトウエア、又はその両者を含む。例示として、かつ、非制限的に、バス６１２は、ＡＧＰ（Ａｃｃｅｌｅｒａｔｅｄ  Ｇｒａｐｈｉｃｓ  Ｐｏｒｔ）又は他のグラフィックバス、ＥＩＳＡ（Ｅｎｈａｎｃｅｄ  Ｉｎｄｕｓｔｒｙ  Ｓｔａｎｄａｒｄ  Ａｒｃｈｉｔｅｃｔｕｒｅ）バス、ＦＳＢ（ｆｒｏｎｔ−ｓｉｄｅ  ｂｕｓ）、ＨＴ（ＨＹＰＥＲＴＲＡＮＳＰＯＲＴ）相互接続、ＩＳＡ（Ｉｎｄｕｓｔｒｙ  Ｓｔａｎｄａｒｄ  Ａｒｃｈｉｔｅｃｔｕｒｅ）バス、ＩＮＦＩＮＩＢＡＮＤ相互接続、ＬＰＣ（ｌｏｗ−ｐｉｎ−ｃｏｕｎｔ）バス、メモリバス、マイクロチャネルアーキテクチャ（ＭＣＡ）バス、ＰＣＩ（Ｐｅｒｉｐｈｅｒａｌ  Ｃｏｍｐｏｎｅｎｔ  Ｉｎｔｅｒｃｏｎｎｅｃｔ）バス、ＰＣＩ―Ｅｘｐｒｅｓｓ（ＰＣＩ−Ｘ）バス、ＳＡＴＡ（ｓｅｒｉａｌ  ａｄｖａｎｃｅｄ  ｔｅｃｈｎｏｌｏｇｙ  ａｔｔａｃｈｍｅｎｔ）バス、ＶＬＢ（Ｖｉｄｅｏ  Ｅｌｅｃｔｒｏｎｉｃｓ  Ｓｔａｎｄａｒｄｓ  Ａｓｓｏｃｉａｔｉｏｎ  ｌｏｃａｌ）バス、又は、その他の適切なバス、又は、複数のこれらの組合せであってもよい。バス６１２は、適切な場合には、１つ以上のバス６１２を含んでもよい。本開示は、特定のバスを開示するが、本開示は、適切ないかなるバス又は相互接続をも対象とする。
【００４２】
本明細書において、コンピュータ読み取り可能な記憶媒体とは、構造（ｓｔｒｕｃｔｕｒｅ）を有する１つ以上の非一時的（ｎｏｎ−ｔｒａｎｓｉｔｏｒｙ）な、有形（ｔａｎｇｉｂｌｅ）な、コンピュータ記憶媒体を言う。例示として、かつ、非制限的に、コンピュータ読み取り可能な記憶媒体としては、半導体ベースの又は他の集積回路（ＩＣ）（例えば、ＦＰＧＡ（ｆｉｅｌｄ−ｐｒｏｇｒａｍｍａｂｌｅ  ｇａｔｅ  ａｒｒａｙ）又はＡＳＩＣ（ａｐｐｌｉｃａｔｉｏｎ−ｓｐｅｃｉｆｉｃ  ＩＣ）、ハードディスク、ＨＤＤ、ハイブリッドハードドライブ（ＨＨＤ）、光ディスク、光ディスクドライブ（ＯＤＤ）、磁気光ディスク、磁気光ドライブ、フロッピー(登録商標)ディスク、フロッピーディスクドライブ（ＦＤＤ）、磁気テープ、ホログラフィック記憶媒体、ソリッドステートドライブ（ＳＳＤ）、ＲＡＭドライブ、ＳＥＣＵＲＥ  ＤＩＧＩＴＡＬカード、ＳＥＣＵＲＥ  ＤＩＧＩＴＡＬドライブ、又は、適切なコンピュータ読み取り可能媒体、又は、適切な場合には複数のこれらの組合せが含まれる。本明細書において、コンピュータ読み取り可能な媒体は、米国特許法第１０１条において特許保護として適合していないいかなる媒体をも排除する。本明細書において、コンピュータ読み取り可能な媒体は、特許法第１０１条で特許保護対象となっていない範囲での一時的な形態の信号伝送（例えば、電気的又は電磁気学的信号の伝搬そのもの）を除外する。コンピュータ読み取り可能な、非一時的な記憶媒体は、適切な場合には、揮発性、不揮発性、又は揮発性及び不揮発性の組合せであってもよい。
【００４３】
本開示は、適切ないかなるストレージをインプリメントする１つ以上のコンピュータ読み取り可能な記憶媒体をも対象とする。特定の実施形態において、コンピュータ読み取り可能な記憶媒体は、プロセッサ６０２の１つ以上の部分（例えば、１つ以上の内部レジスタ又はキャッシュ）、メモリ６０４の１つ以上の部分、ストレージ６０６の１つ以上の部分、又は、適切な場合にはこれらの組合せをインプリメントする。特定の実施形態において、コンピュータ読み取り可能な記憶媒体は、ＲＡＭ又はＲＯＭをインプリメントする。特定の実施形態において、コンピュータ読み取り可能な記憶媒体は、揮発性又は、持続的メモリをインプリメントする。特定の実施形態において、１つ以上のコンピュータ読み取り可能な記憶媒体は、ソフトウエアを包含する。本明細書において、ソフトウエアとは、１つ以上のアプリケーション、バイトコード、１つ以上のコンピュータプログラム、１つ以上の実行可能形式、１つ以上の命令、ロジック、マシンコード、１つ以上のスクリプト、又はソースコード、及び、適切な場合には、これらの組合せを意味する。特定の実施形態において、ソフトウエアは、１つ以上のアプリケーションプログラミングインターフェース（ＡＰＩ）を含む。本開示は、適切にプログラミング言語又はプログラミング言語の組合せで書かれた又は記述された適切ないかなるソフトウエアをも対象とする。特定の実施形態において、ソフトウエアは、ソースコード又はオブジェクトコードとして表現される。特定の実施形態において、例えば、Ｃ、Ｐｅｒｌ，又はこれらの適切な発展形の高水準プログラミング言語によって記述される。特定の実施形態において、ソフトウエアは、例えば、アセンブラ（又は機械語）の低水準プログラミング言語によって記述される。特定の実施形態において、ソフトウエアは、ＪＡＶＡ(登録商標)により記述される。特定の実施形態において、ソフトウエアはＨＴＭＬ、ＸＭＬ、又は適切なマークアップ言語によって記述される。
【００４４】
本明細書において、「又は」は、包括的であり、排他的ではない。したがって、他の意味として明記していない限り（文脈からそのように示されていない限り）、「Ａ又はＢ」とは、「Ａ、Ｂ、又は両者」を意味する。更に、「及び」は、他の意味として明記していない限り（文脈からそのように示されていない限り）、一緒に、及び、個別的に、を意味する。したがって、本明細書において、「Ａ及びＢ」とは、「Ａ及びＢ、一緒に又は個別的に」を意味する。
【００４５】
本開示は、本明細書の実施形態に対する、当業者が理解できる全ての変更、置換、バリエーション、変更、及び修正が含まれる。同様に、適切な場合には、添付の請求項は、当業者が理解できる全ての変更、置換、バリエーション、変更、及び修正を包含する。更に、添付の請求項において、特定の機能の実行に適合した装置又はシステム、又は装置又はシステムのコンポーネントに対する明示は、その機能がアクティベートされるか、オンされるか、ロックが外されるか、実行可能とされるか、作用するか否かに関わらず、その装置又はシステム、又は装置又はシステムのコンポーネントに及ぶ。
【００４６】
以上の複数の実施形態に関し、更に以下の付記を開示する。
（付記１）
第１のワイヤレス基地局が、
前記第１のワイヤレス基地局を利用することを許されていないワイヤレスデバイスから、ランダムアクセスプリアンブルを受信する工程と；
前記ワイヤレスデバイスに対するランダムアクセス手順を完了する工程と；
前記ワイヤレスデバイスから干渉ストレスメッセージを受信する工程であって、前記干渉ストレスメッセージは、前記ワイヤレスデバイスが前記第１の基地局から干渉を受けていることを示す、工程と；
前記ワイヤレスデバイスに対する干渉を減少させる工程と；
を有する方法。
（付記２）
前記第１のワイヤレス基地局は、フェムトセル基地局である、付記１記載の方法。
（付記３）
前記ワイヤレスデバイスは、第２の基地局を利用することを許可されている、付記１記載の方法。
（付記４）
前記第２の基地局は１つ以上のマクロセル基地局である、付記３記載の方法。
（付記５）  
前記干渉ストレスメッセージに基づき、前記ワイヤレスデバイスが、前記第２の基地局のうち少なくとも１つを利用するために、どの程度の干渉減少が必要かを推定する工程、
を更に有する、付記３記載の方法。
（付記６）
前記干渉ストレスメッセージを調整デバイスに転送する工程と；
前記調整デバイスからの干渉減少情報を受信する工程と；
前記干渉減少情報に基づき、前記ワイヤレスデバイスのために干渉を減少させる工程と；
を更に有する付記３記載の方法。
（付記７）
干渉減少情報は、前記ワイヤレスデバイスが前記第２の基地局の少なくとも一つを利用するために、どの程度の干渉減少が必要かを示す、付記６記載の方法。
（付記８）
前記調整デバイスは、自己編成ネットワークサーバであり、かつ、
前記調整デバイスは、前記干渉ストレスメッセージに基づき、前記干渉減少情報を推定する、
付記６記載の方法。
（付記９）
前記干渉ストレスメッセージは、１つ以上のワイヤレスデータパケットとして、調整デバイスに転送される、
付記６記載の方法。
（付記１０）
前記干渉ストレスメッセージは、１つ以上の干渉測定値を有する、
付記１記載の方法。
（付記１１）
前記ランダムアクセスプリアンブルは、標準ランダムアクセスプリアンブルである、付記１記載の方法。
（付記１２）
前記ランダムアクセスプリアンブルは、非標準ランダムアクセスプリアンブルである、付記１記載の方法。
（付記１３）
前記非標準ランダムアクセスプリアンブルを送信する前記ワイヤレスデバイスに対して、より高い優先度を付与する工程、を更に有する付記１２記載の方法。
（付記１４）
第１のワイヤレス基地局であって、
１つ以上のプロセッサによって実行可能な命令を含むメモリと；
前記メモリに接続され、かつ、前記命令を実行可能な前記１つ以上のプロセッサと、を有し、前記１つ以上のプロセッサは、
当該第１のワイヤレス基地局を利用することを許されていないワイヤレスデバイスから、ランダムアクセスプリアンブルを受信し；
前記ワイヤレスデバイスに対するランダムアクセス手順を完了し；
前記ワイヤレスデバイスから干渉ストレスメッセージを受信し、前記干渉ストレスメッセージは、前記ワイヤレスデバイスが前記第１の基地局から干渉を受けていることを示し；
前記ワイヤレスデバイスに対する干渉を減少させる；
命令を実行するときに動作可能である、第１のワイヤレス基地局。
（付記１５）
前記第１のワイヤレス基地局は、フェムトセル基地局である、付記１４記載の第１のワイヤレス基地局。
（付記１６）
前記ワイヤレスデバイスは、第２の基地局を利用することを許可されている、付記１４記載の第１のワイヤレス基地局。
（付記１７）
前記第２の基地局は１つ以上のマクロセル基地局である、付記１６記載の第１のワイヤレス基地局。
（付記１８）
前記プロセッサは、
前記干渉ストレスメッセージに基づき、前記ワイヤレスデバイスが、前記第２の基地局のうち少なくとも１つを利用するために、どの程度の干渉減少が必要かを推定する命令を実行するときに更に動作可能である、付記１６記載の第１のワイヤレス基地局。
（付記１９）
前記プロセッサは、
前記干渉ストレスメッセージを調整デバイスに転送し；
前記調整デバイスからの干渉減少情報を受信し；
前記干渉減少情報に基づき、前記ワイヤレスデバイスのために干渉を減少させる；
命令を実行するときに更に動作可能である、付記１６記載の第１のワイヤレス基地局。
（付記２０）
干渉減少情報は、前記ワイヤレスデバイスが前記第２の基地局の少なくとも一つを利用するために、どの程度の干渉減少が必要かを示す、付記１９記載の第１のワイヤレス基地局。
（付記２１）
前記調整デバイスは、自己編成ネットワークサーバであり、かつ、
前記調整デバイスは、前記干渉ストレスメッセージに基づき、前記干渉減少情報を推定する、
付記１９記載の第１のワイヤレス基地局。
（付記２２）
前記干渉ストレスメッセージは、１つ以上のワイヤレスデータパケットとして、調整デバイスに転送される、
付記１９記載の第１のワイヤレス基地局。
（付記２３）
前記干渉ストレスメッセージは、１つ以上の干渉測定値を有する、
付記１４記載の第１のワイヤレス基地局。
（付記２４）
前記ランダムアクセスプリアンブルは、標準ランダムアクセスプリアンブルである、付記１４記載の第１のワイヤレス基地局。
（付記２５）
前記ランダムアクセスプリアンブルは、非標準ランダムアクセスプリアンブルである、付記１４記載の第１のワイヤレス基地局。
（付記２６）
前記プロセッサは、
前記非標準ランダムアクセスプリアンブルを送信する前記ワイヤレスデバイスに対して、より高い優先度を付与する、
命令を実行するときに更に動作可能である、付記２５記載の第１のワイヤレス基地局。
（付記２７）
第１のワイヤレス基地局を利用することを許されていないワイヤレスデバイスから、ランダムアクセスプリアンブルを受信し；
前記ワイヤレスデバイスに対するランダムアクセス手順を完了し；
前記ワイヤレスデバイスから干渉ストレスメッセージを受信し、前記干渉ストレスメッセージは、前記ワイヤレスデバイスが前記第１の基地局から干渉を受けていることを示し；
前記ワイヤレスデバイスに対する干渉を減少させる；
処理を第１のワイヤレス基地局のコンピュータに実行させるプログラム。
（付記２８）
前記第１のワイヤレス基地局は、フェムトセル基地局である、付記２７記載のプログラム。
（付記２９）
前記ワイヤレスデバイスは、第２の基地局を利用することを許可されている、付記２７記載のプログラム。
（付記３０）
前記第２の基地局は１つ以上のマクロセル基地局である、付記２９記載のプログラム。
（付記３１）
前記干渉ストレスメッセージに基づき、前記ワイヤレスデバイスが、前記第２の基地局のうち少なくとも１つを利用するために、どの程度の干渉減少が必要かを推定する、
処理を更に第１のワイヤレス基地局のコンピュータに実行させる付記２９記載のプログラム。
（付記３２）
前記干渉ストレスメッセージを調整デバイスに転送し；
前記調整デバイスからの干渉減少情報を受信し；
前記干渉減少情報に基づき、前記ワイヤレスデバイスのために干渉を減少させる；
処理を更に第１のワイヤレス基地局のコンピュータに実行させる付記２９記載のプログラム。
（付記３３）
干渉減少情報は、前記ワイヤレスデバイスが前記第２の基地局の少なくとも一つを利用するために、どの程度の干渉減少が必要かを示す、付記３２記載のプログラム。
（付記３４）
前記調整デバイスは、自己編成ネットワークサーバであり、かつ、
前記調整デバイスは、前記干渉ストレスメッセージに基づき、前記干渉減少情報を推定する、
付記３２記載のプログラム。
（付記３５）
前記干渉ストレスメッセージは、１つ以上のワイヤレスデータパケットとして、調整デバイスに転送される、
付記３２記載のプログラム。
（付記３６）
前記干渉ストレスメッセージは、１つ以上の干渉測定値を有する、
付記２７記載のプログラム。
（付記２７）
前記ランダムアクセスプリアンブルは、標準ランダムアクセスプリアンブルである、付記２７記載のプログラム。
（付記２８）
前記ランダムアクセスプリアンブルは、非標準ランダムアクセスプリアンブルである、付記２７記載のプログラム。
（付記３９）
前記非標準ランダムアクセスプリアンブルを送信する前記ワイヤレスデバイスに対して、より高い優先度を付与する処理を更に第１のワイヤレス基地局のコンピュータに実行させる付記３８記載のプログラム。
（付記４０）
前記第１のワイヤレス基地局を利用することを許されていないワイヤレスデバイスから、ランダムアクセスプリアンブルを受信する手段と；
前記ワイヤレスデバイスに対するランダムアクセス手順を完了する手段と；
前記ワイヤレスデバイスから干渉ストレスメッセージを受信する手段であって、前記干渉ストレスメッセージは、前記ワイヤレスデバイスが前記第１の基地局から干渉を受けていることを示す、手段と；
前記ワイヤレスデバイスに対する干渉を減少させる手段と；
を有するシステム。
【図１】
0005782910.tif 000002
【図２】
0005782910.tif 000003
【図３】
0005782910.tif 000004
【図４】
0005782910.tif 000005
【図５】
0005782910.tif 000006
【図６】
0005782910.tif 000007